(57)【要約】      （修正有）【課題】ストローの表面に宣伝広告、生産者などの標示を人に有害でない安全な印刷手段を用いて印刷した飲料用ストローを提供する。【解決手段】ストローの表面に文字、記号、図形、模様その他の標示３を可食インキで印刷してあることを特徴とする。ストローの包装体ではなく、飲料用ストローそのものの表面に文字、記号、図形、模様その他の標示を印刷して、宣伝広告、生産者、占い、当たりくじなどを表示して、飲料用ストローを用いて飲料を飲用する人が飲用する前、飲用後に種々の面白さ、楽しさを感じることができる効果がある。【選択図】図１
0003159373.tif 000002
【実用新案登録請求の範囲】
【請求項１】
ストローの表面に文字、記号、図形、模様その他の標示を可食インキで印刷してあることを特徴とする飲料用ストロー。
【請求項２】
上記ストローが、内ストローと外ストローとからなり、内ストローが外ストロー内に挿入された２段伸縮ストローであって、内ストローと外ストローの何れかのストローの表面に上記標示が可食インキで印刷してある上記請求項１に記載の飲料用ストロー。
【請求項３】
上記ストローが、内ストローと外ストロートとからなり、内ストローが外ストロー内に挿入された２段伸縮ストローであって、内ストローと外ストローの両方の表面に上記標示が可食インキで印刷してある上記請求項１に記載の飲料用ストロー。
【請求項４】
上記ストローが１本ストローであり、この１本ストローの表面に上記標示が可食インキで印刷してある上記請求項１に記載の飲料用ストロー。
【請求項５】
上記ストローの吸引側の近くに蛇腹からなる屈曲部が設けてある上記請求項１乃至４の何れかに記載の飲料用ストロー。
【請求項６】
上記可食インキは、食品及び食品添加物で構成され、エタノールを主成分に、植物炭末色素又は赤紅、セラミック、炭酸アンモニウム、水で構成されている上記請求項１乃至５の何れかに記載の飲料用ストロー。
【請求項７】
上記可食インキによる標示の印刷は、インクジェットプリンターによる上記請求項１乃至６の何れかに記載の飲料用ストロー。
【考案の詳細な説明】
【技術分野】
【０００１】
本考案は、ストローの表面に文字、記号、図形、模様その他の標示を可食インキで印刷してある飲料用ストローに関する。
【背景技術】
【０００２】
消費者が飲料容器から内容飲料を吸引して飲用するために合成樹脂製の飲料用ストローが使用される。この飲料用ストローにはいくつもの種類があり、これを大まかに分別すると、１本物ストローと、内外のストローを組み合せて内ストローを外ストローに挿入し、伸縮できるようにした２段伸縮ストローと、蛇腹状の屈曲部付きのストローとがある。
【考案の概要】
【考案が解決しようとする課題】
【０００３】
上記公知の合成樹脂製の飲料用ストローは、合成樹脂材料そのものが表面に表され、せいぜい合成樹脂材料を着色するか、又は、ストライブ線を１〜２箇所ある程度のものであり、従前は飲料用ストローの表面に何らの装飾も施されなかった。従ってこれら飲料用ストローについての例えば生産者、使用方法その他の標示は、この飲料用ストローの包装体に施されるだけであった。
そこで、この飲料用ストローの表面に種々の標示を施すことが望まれていたが、この飲料用ストローが細い円筒体であるため、その表面への印刷が困難なことと、飲料用ストローは、人が飲料を飲用するため、印刷インキの成分が人に有害であってはならないという課題があった。
本考案は、上記課題に鑑み、ストローの表面に宣伝広告、生産者などの標示を人に有害でない安全な印刷手段を用いて印刷した新規な飲料用ストローを提供することを目的とする。
【課題を解決するための手段】
【０００４】
そのために、本考案飲料用ストローは、ストローの表面に文字、記号、図形、模様その他の標示を可食インキで印刷してあることを特徴とするものである。
【０００５】
上記ストローが、内ストローと外ストローとからなり、内ストローが外ストロー内に挿入された２段伸縮ストローであって、内ストローと外ストローの何れかのストローの表面に上記標示が可食インキで印刷してあることを特徴とする。
上記ストローが、内ストローと外ストロートとからなり、内ストローが外ストロー内に挿入された２段伸縮ストローであって、内ストローと外ストローの両方の表面に上記標示が可食インキで印刷してあることを特徴とする。
【０００６】
上記ストローが１本ストローであり、この１本ストローの表面に上記標示が可食インキで印刷してあることを特徴とする。
上記ストローの吸引側の近くに蛇腹からなる屈曲部が設けてあることを特徴とする。
【０００７】
上記可食インキは、食品及び食品添加物で構成され、エタノールを主成分に、植物炭末色素又は赤紅、セラミック、炭酸アンモニウム、水で構成されていることを特徴とする。
上記可食インキによる標示の印刷は、インクジェットプリンターによることを特徴とする。
【考案の効果】
【０００８】
本考案の飲料用ストローは、ストローの表面に文字、記号、図形、模様その他の標示を可食インキで印刷してあることを特徴とするから、ストローの包装体ではなく、飲料用ストローそのものの表面に文字、記号、図形、模様その他の標示を印刷して、宣伝広告、生産者、占い、当たりくじなどを表示して、飲料用ストローを用いて飲料を飲用する人が飲用する前、飲用後に種々の面白さ、楽しさを感じることができる効果がある。
【図面の簡単な説明】
【０００９】
【図１】内外ストローからなる２段伸縮ストローの内ストローおよび外ストローの何れにも標示を印刷した本考案飲料用ストローの実施例の正面図である。
【図２】同じく２段伸縮ストローの内ストローだけに標示を印刷した本考案飲料用ストローの実施例の正面図である。
【図３】同じく２段伸縮ストローの外ストローだけに標示を印刷した本考案飲料用ストローの実施例の正面図である。
【図４】１本ストローに標示を印刷した本考案飲料用ストローの実施例の正面図である。
【図５】蛇腹部からなる屈曲部を設けた１本ストローに標示を印刷した本考案飲料用ストローの実施例の正面図である。
【図６】１本ストローの蛇腹部からなる屈曲部に標示を印刷した本考案飲料用ストローの実施例の正面図である。
【図７】伸縮ストローの蛇腹部からなる屈曲部に標示を印刷した本考案飲料用ストローの実施例の正面図である。
【考案を実施するための形態】
【００１０】
図１に内ストロー１と外ストロー２からなる２段伸縮ストローの伸長状態を示してあり、この内ストロー１及び外ストロー２の何れにも標示３を印刷してある実施例を示してある。この標示３は、文字、記号、図形、模様その他のもので、例えば宣伝広告、生産者、占い、当たりくじなどを表示してある。この標示により飲料用ストローを用いて飲料を飲用する人が飲料を引用する前に、飲料を飲用した後に種々の面白さ、楽しさを感じることができる。
【００１１】
上記標示３は可食インキで印刷されており、この可食インキは食品及び食品添加物で構成され、エタノールを主成分に、植物炭末色素又は赤紅、セラミック、炭酸アンモニウム、水で構成されている。上記植物炭末色素は黒色インキになり標示３が黒色表示され、赤紅は赤色インキになり、標示３が赤色表示される。
印刷インキが可食インキであるから、人がこのストローを用いて引用する際、この可食インキを口の中に入れても食品衛生上無害であり安心である。
可食インキには、主としてエタノールの含有量が多く使われており、ストローとインキとの接着性が落ちると思われたが、一般的に手で直接こすったり、伸縮ストローでは数十回も外ストローから内ストローを引き抜いても、摩擦で内ストローに印刷したインキが落ちないことを確認した。又、水、コーヒー、オレンジジュース、茶など一般的に消費者に飲まれている内容物に可食インキで印刷したストローを入れておいてもインキが落ちないことを確認した。
【００１２】
ストローを連続的に印刷する工程では、ストローを貯める目的のホッパーを製作し、１本ごとに切り離しながら一定速度の搬送コンベアー上に落下させて、ストローが回転しないように両側からガイドで固定させてストローを安定させて搬送させる。
この搬送途中において、コンベアー上部に設置したインクジェットプリンタの専用ヘッドノズルからストローの流れ方向に可食インキを噴射させて印刷する。ライン速度は、文字の大きさ等にも関係するが２０〜４０ｍ/分で高速印字が可能のため経済的効果もある。
【００１３】
図２及び図３には、２段伸縮ストローの内ストロー１と外ストロー２の何れかのストローに標示３が可食インキで印刷された実施例が示してあり、図２に内ストロー１に標示を印刷した実施例を、図３に外ストロー２に標示３を印刷した実施例を示してある。
図４には１本ストローに標示３を可食インキで印刷して実施例を示し、図５には蛇腹からなる屈曲部４を設けてあるストローに標示３を可食インキで印刷した実施例を示してある。
図６には１本ストローの蛇腹部からなる屈曲部４に標示３を可食インキで印刷した実施例を示してあり、図７には伸縮ストローの蛇腹部からなる屈曲部４に標示３を可食インキで印刷した実施例を示してある。
【符号の説明】
【００１４】
１  内ストロー  
２  外ストロー  
３  標示  
４  屈曲部  
0003159373.tif 000003
【手続補正書】
【提出日】平成22年3月2日(2010.3.2)
【手続補正１】
【補正対象書類名】図面
【補正対象項目名】全図
【補正方法】変更
【補正の内容】
【図１】
0003159373.tif 000004
【図２】
0003159373.tif 000005
【図３】
0003159373.tif 000006
【図４】
0003159373.tif 000007
【図５】
0003159373.tif 000008
【図６】
0003159373.tif 000009
【図７】
0003159373.tif 000010